(57)【特許請求の範囲】
【請求項１】
ワイヤレス通信ネットワークの４０ＭＨｚチャネルに対してチャネル・スイッチを報知するために、チャネル・スイッチ報知フレームを送信する段階であって、前記チャネルは、２０ＭＨｚの第１のチャネルおよび２０ＭＨｚの第２のチャネルを含み、前記チャネル・スイッチ報知フレームは、チャネル・スイッチ報知要素およびチャネル・オフセット要素を含む、段階を具備する方法であることを特徴とし、
前記チャネル・スイッチ報知要素は、チャネル番号フィールドを収容し、前記チャネル番号フィールドは、スイッチされるチャネルの番号を示し、
前記チャネル・オフセット要素は、要素識別（ＩＤ）フィールド、長さフィールド、および、チャネル・オフセット・フィールドを含み、前記チャネル・オフセット・フィールドは、２０ＭＨｚの第２のチャネルが前記ワイヤレス通信ネットワークに含められる場合、第１の値または第２の値を示し、前記第１および第２の値各々は、２０ＭＨｚの第１のチャネルに対する２０ＭＨｚの第２のチャネルの位置を示し、
前記チャネル・オフセット・フィールドは、２０ＭＨｚの第２のチャネルが前記ワイヤレス通信ネットワークの４０ＭＨｚチャネルに含まれていない場合、第３の値を示す、
ことを特徴とする方法。
【請求項２】
前記第１の値は、前記第２のチャネルが前記第１のチャネルより高い周波数であることを示し、また前記第２の値は、前記第２のチャネルが前記第１のチャネルより低い周波数であることを示すことを特徴とする請求項１記載の方法。
【請求項３】
前記第１の値は、１に等しく、また前記第３の値は、ゼロに等しいことを特徴とする請求項２記載の方法。
【請求項４】
前記要素識別（ＩＤ）フィールド、前記長さフィールド、および、前記チャネル・オフセット・フィールドは、各々８ビットであることを特徴とする請求項１記載の方法。
【請求項５】
前記ワイヤレス通信ネットワークの前記チャネルは、ＩＥＥＥ８０２．１１の基本サービス・セット（ＢＳＳ）、または、ＩＥＥＥ８０２．１１の独立した基本サービス・セット（ＩＢＳＳ）に対応することを特徴とする請求項１記載の方法。
【請求項６】
メモリと、
ベースバンド・プロセッサと、
媒体アクセス制御（ＭＡＣ）層と、
１またはそれ以上のアンテナと、
前記アンテナに、および、前記ベースバンド・プロセッサに結合された送受信機と、
ワイヤレス通信ネットワークの４０ＭＨｚチャネルに対してチャネル・スイッチを報知するために、チャネル・スイッチ報知フレームを送信するための送信回路であって、前記チャネルは、２０ＭＨｚの第１のチャネルおよび２０ＭＨｚの第２のチャネルを含み、前記チャネル・スイッチ報知フレームは、チャネル・スイッチ報知要素およびチャネル・オフセット要素を含む、送信回路と、
前記チャネル・スイッチ報知要素は、チャネル番号フィールドを収容し、前記チャネル番号フィールドは、スイッチされるチャネルの番号を示し、
前記チャネル・オフセット要素は、要素識別（ＩＤ）フィールド、長さフィールド、および、チャネル・オフセット・フィールドを含み、前記チャネル・オフセット・フィールドは、２０ＭＨｚの第２のチャネルが前記ワイヤレス通信ネットワークに含められる場合、第１の値または第２の値を示し、前記第１および第２の値各々は、２０ＭＨｚの第１のチャネルに対する２０ＭＨｚの第２のチャネルの位置を示し、
前記チャネル・オフセット・フィールドは、２０ＭＨｚの第２のチャネルが前記ワイヤレス通信ネットワークの４０ＭＨｚチャネルに含まれない場合、第３の値を示す、
ことを特徴とする装置。
【請求項７】
前記第１の値は、前記２０ＭＨｚの第２のチャネルが前記２０ＭＨｚの第１のチャネルより高い周波数であることを示し、また前記第２の値は、前記２０ＭＨｚの第２のチャネルが前記２０ＭＨｚの第１のチャネルより低い周波数であることを示すことを特徴とする請求項６記載の装置。
【請求項８】
前記第１の値は、１に等しく、また前記第３の値は、ゼロに等しいことを特徴とする請求項７記載の装置。
【請求項９】
前記要素識別（ＩＤ）フィールド、前記長さフィールド、および、前記チャネル・オフセット・フィールドは、各々８ビットであることを特徴とする請求項６記載の装置。
【請求項１０】
前記ワイヤレス通信ネットワークの前記チャネルは、ＩＥＥＥ８０２．１１の基本サービス・セット（ＢＳＳ）、または、ＩＥＥＥ８０２．１１の独立した基本サービス・セット（ＩＢＳＳ）に対応することを特徴とする請求項６記載の装置。
【請求項１１】
送受信機と、
ワイヤレス通信ネットワークの４０ＭＨｚチャネルに対してチャネル・スイッチを報知するために、チャネル・スイッチ報知フレームを送信するための送信回路であって、前記チャネルは、２０ＭＨｚの第１のチャネルおよび２０ＭＨｚの第２のチャネルを含み、前記チャネル・スイッチ報知フレームは、チャネル・スイッチ報知要素およびチャネル・オフセット要素を含む、送信回路と、
前記チャネル・スイッチ報知要素は、チャネル番号フィールドを収容し、前記チャネル番号フィールドは、スイッチされるチャネルの番号を示し、
前記チャネル・オフセット要素は、要素識別（ＩＤ）フィールド、長さフィールド、および、チャネル・オフセット・フィールドを含み、前記チャネル・オフセット・フィールドは、２０ＭＨｚの第２のチャネルが前記ワイヤレス通信ネットワークに含められる場合、第１の値または第２の値を示し、前記第１および第２の値各々は、２０ＭＨｚの第１のチャネルに対する２０ＭＨｚの第２のチャネルの位置を示し、
前記チャネル・オフセット・フィールドは、２０ＭＨｚの第２のチャネルが前記ワイヤレス通信ネットワークの４０ＭＨｚチャネルに含まれない場合、第３の値を示す、
ことを特徴とする装置。
【請求項１２】
前記第１の値は、前記２０ＭＨｚの第２のチャネルが前記２０ＭＨｚの第１のチャネルより高い周波数であることを示し、また前記第２の値は、前記２０ＭＨｚの第２のチャネルが前記２０ＭＨｚの第１のチャネルより低い周波数であることを示すことを特徴とする請求項１１記載の装置。
【請求項１３】
前記第１の値は、１に等しく、また前記第３の値は、ゼロに等しいことを特徴とする請求項１２記載の装置。
【請求項１４】
前記要素識別（ＩＤ）フィールド、前記長さフィールド、および、前記チャネル・オフセット・フィールドは、各々８ビットであることを特徴とする請求項１１記載の装置。
【請求項１５】
前記ワイヤレス通信ネットワークの前記チャネルは、ＩＥＥＥ８０２．１１の基本サービス・セット（ＢＳＳ）、または、ＩＥＥＥ８０２．１１の独立した基本サービス・セット（ＩＢＳＳ）に対応することを特徴とする請求項１１記載の装置。
【発明の詳細な説明】
【技術分野】
【０００１】
本発明の実施例は、ワイヤレス通信に関連する。より特定すれば、本発明の実施例は、例えばＩＥＥＥ８０２．１１ｎに基づく通信を含む４０ＭＨｚのチャネル・スイッチングを利用するワイヤレス・ローカルエリア・ネットワーク（ＷＬＡＮ）通信に関する。
【背景技術】
【０００２】
現在の電気電子学会（ＩＥＥＥ）８０２．１１ｂ／ｇワイヤレス・ローカルエリア・ネットワーク（ＷＬＡＮ）規格は、多くのタスクに対して適切な特性を備える便宜なワイヤレス接続を提供する。ＩＥＥＥ８０２．１１ｂ規格は、１９９９年９月１６日に関係書類と共に承認された「ローカルおよびメトロポリタンエリア・ネットワーク（パートＩＩ）：ワイヤレスＬＡＮの媒体アクセス制御（ＭＡＣ）および物理層（ＰＨＹ）仕様：２．４ＧＨｚ帯の高速物理層拡張」と題するＩＥＥＥ規格８０２．１１ｂ−１９９９に対応する。ＩＥＥＥ８０２．１１ｇ規格は、２００３年６月２７日に関係書類と共に承認された「ローカルおよびメトロポリタンエリア・ネットワーク（パートＩＩ）：ワイヤレスＬＡＮの媒体アクセス制御（ＭＡＣ）および物理層（ＰＨＹ）仕様（修正４）：２．４ＧＨｚ帯の将来の高レート拡張」と題するＩＥＥＥ規格８０２．１１ｇ−２００３に対応する。関係書類は、例えばＩＥＥＥ８０２．１１ａ規格を含む。
【０００３】
しかしながら、現在のＷＬＡＮ規格では、高品質のマルチメディア・コンテンツをストリーミングするようないくつかの動作に対して、これらの規格によって提供されるスループットは適切ではない。この要望に応じて、ＩＥＥＥは、１００メガビット／秒（Ｍｂｐｓ）あるいはそれより大きなスループットを伝える物理層および媒体アクセス制御層（ＰＨＹ／ＭＡＣ）への修正を定義するためにＩＥＥＥ８０２．１１タスク・グループＮ（ＴＧｎ）の創設を承認した。その結果は、８０２．１１ファミリーに加えられる「ＩＥＥＥ８０２．１１ｎ」と称されやがて公開される仕様であり、ワイヤレス・ネットワークの速度および信頼性の増進を意図するものである。
【０００４】
ＩＥＥＥ８０２．１１ｎの通信は、通信リンクにおける送信機および受信機の両側に複数のアンテナを使用するマルチ入力マルチ出力（ＭＩＭＯ）技術を基本とする。８０２．１１ｎ規格は、信頼性を増加させるために複数の余分のデータ複製を送信する技術とともに、速度を増加させるために直交周波数分割多重方式（ＯＦＤＭ）を使用する。先行技術の標準である２０ＭＨｚのチャネル帯域幅を利用した。しかしながら、２０ＭＨｚのチャネルのみを使用するＭＩＭＯの試みは、１００ＭｂｐｓのスループットであるＩＥＥＥ  ＴＧｎの要求を満たすためにより高い実装コストを要求する。２０ＭＨｚのチャネルだけでＩＥＥＥ  ＴＧｎの要求を満たすためには、少なくとも３本のアンテナであるアナログ・フロント・エンドを要求するであろう。同時に、２０ＭＨｚの試みは、より高いスループットを実際のユーザ環境で要求するアプリケーションを提供するために苦闘するであろう。
【先行技術文献】
【特許文献】
【０００５】
【特許文献１】国際公開第２００５／１２２５０１号
【特許文献２】特表２００４−５０９５１４号公報
【特許文献１】米国特許出願公開第２００５／０２８８０１５号明細書
【図面の簡単な説明】
【０００６】
【図１】ワイヤレス・ローカルエリア・ネットワークの一実施例のブロック図を示す。
【図２】新しい拡張チャネルのオフセット要素の一実施例を示す。
【図３】チャネル・スイッチ要求プリミティブの一実施例の概念図である。
【図４】チャネル・スイッチ指示プリミティブの一実施例の概念図である。
【図５】チャネル・スイッチ要求プリミティブの一実施例の概念図である。
【発明を実施するための形態】
【０００７】
本発明の実施例は、例示に過ぎず、制限するものではないが、添付図面の番号に関して、近似する参照番号は類似の要素を参照する。
【０００８】
以下の記述では、多くの特定の詳細事項が述べられる。しかしながら、本発明の実施例は、これらの特定な詳細事項がなくても実施できるであろう。他の場合において、周知の回路、構造および技術はこの記述についての理解を不明瞭にしないようにするために詳細には示されていない。
【０００９】
明細書中の「一実施例」あるいは「実施例」への参照は、実施例に関して記述された特定の特徴、構造あるいは特性が本発明の少なくとも一実施例に含まれることを意味する。明細書中の様々な場所に「一実施例中」なる用語が現れるが、すべてが必ずしも同じ実施例を参照するものではない。
【００１０】
本発明の実施例は、ＩＥＥＥ８０２．１１に基づく通信のようなワイヤレス・ローカルエリア・ネットワーク（ＷＬＡＮ）通信における４０ＭＨｚのチャネル・スイッチングを提供する。一実施例では、４０ＭＨｚのチャネルは、制御および拡張チャネル（各２０ＭＨｚ）の両方を含む。４０ＭＨｚのチャネル・スイッチングを実装するためには、拡張チャネル情報要素（Ｅｘｔｅｎｓｉｏｎ  Ｃｈａｎｎｅｌ  ｉｎｆｏｒｍａｔｉｏｎ  ｅｌｅｍｅｎｔ）およびチャネル・スイッチ報知フレーム（Ｃｈａｎｎｅｌ  Ｓｗｉｔｃｈ  Ａｎｎｏｕｎｃｅｍｅｎｔ  ｆｒａｍｅ）用フォーマットがここに説明される。
【００１１】
本発明の実施例が様々なアプリケーション中に使用されてもよいことが理解されるであろう。本発明はこの点に制限されることはないが、ここに示された回路は、無線システムの送信機および受信機の多くの機器中に使用されてもよい。本発明の範囲内に含まれると意図される無線システムは、例示のみによるが、ワイヤレス・ネットワーク・インターフェイス装置およびネットワーク・インターフェイス・カード（ＮＩＣ）を含むワイヤレス・ローカルエリア・ネットワーク（ＷＬＡＮ）装置およびワイヤレス・ワイドエリア・ネットワーク（ＷＷＡＮ）装置、基地局、アクセス・ポイント、ゲートウエイ、ブリッジ、ハブ、セルラー無線電話通信システム、衛星通信システム、双方向無線通信システム、単方向ページャ、双方向ページャ、パーソナル移動通信システム（ＰＣＳ）、個人向け携帯型情報機器（ＰＤＡ）、および同種のものを含むが、本発明の範囲がこの点に制限されることはない。
【００１２】
本発明の範囲内に含まれると意図されるワイヤレス通信システムのタイプは、制限するものではないが、ワイヤレス・ローカルエリア・ネットワーク（ＷＬＡＮ）、ワイヤレス・ワイドエリア・ネットワーク（ＷＷＡＮ）、符号分割多元接続（ＣＤＭＡ）のセルラー無線電話通信システム、移動体通信用グローバル・システム（ＧＳＭ（登録商標））のセルラー無線電話通信システム、北米デジタル・セルラー（ＮＡＤＣ）のセルラー無線電話通信システム、時分割多元接続（ＴＤＭＡ）システム、拡張ＴＤＭＡ（Ｅ−ＴＤＭＡ）のセルラー無線電話通信システム、広帯域ＣＤＭＡ（ＷＣＤＭＡ）のような第３世代（３Ｇ）のシステム、ＣＤＭＡ−２０００、および同種のものを含むが、本発明の範囲がこの点に制限されることはない。
【００１３】
図１は、ＷＬＡＮの一実施例であるブロック図を示す。図１に示されるワイヤレス・ローカルエリア・ネットワーク（ＷＬＡＮ）システム１００では、第１の装置１１０は、アンテナ１１８およびベースバンド・プロセッサ１１６に結合されるワイヤレス送受信機１１２を含む。一実施例中のベースバンド・プロセッサ１１６は、単一のプロセッサを含んでもよく、あるいは代わりにベースバンド・プロセッサおよびアプリケーション・プロセッサを含んでもよいが、本発明の範囲がこの点に制限されることはない。ベースバンド・プロセッサ１１６は、メモリ１１４に結合され、それはＤＲＡＭのような揮発性メモリ、フラッシュ・メモリのような不揮発性メモリ、あるいはこれに変わるハードディスク・ドライブのような他のタイプのストレージを含むが、本発明の範囲がこの点に制限されることはない。メモリ１１４のある部分あるいはすべては、ベースバンド・プロセッサ１１６と同じ集積回路に含まれてもよく、あるいはこれに変えてメモリ１１４のある部分あるいはすべてがベースバンド・プロセッサ１１６の集積回路の外部にある集積回路あるいは他の媒体上（例えば、ハードディスク・ドライブ）に配置されてもよいが、本発明の範囲がこの点に制限されることはない。同様に、第２の装置１２０は、送受信機１２２、メモリ１２４、ベースバンド・プロセッサ１２６、およびアンテナ１２８を含む。アクセス・ポイント１４０は、送受信機１４２、メモリ１４４、ベースバンド・プロセッサ１４６、およびアンテナ１３６を含む。
【００１４】
第１の装置１１０および第２の装置１２０は、ワイヤレス通信リンク１３２，１３４を介してアクセス・ポイント１４０とそれぞれ通信することができる。アクセス・ポイント１４０は、少なくとも１つのアンテナ１３６を含む。これとは別に、アクセス・ポイント１４０、第１の装置１１０および第２の装置１２０は、適宜、ダイバーシティ・アンテナ配置を提供するために、空間分割多元接続（ＳＤＭＡ）を提供するために、あるいは、マルチ入力マルチ出力（ＭＩＭＯ）システムまたは同種のシステムを提供するために、２またはそれ以上のアンテナを含んでもよいが、本発明の範囲がこの点に制限されることはない。アクセス・ポイント１４０は、ネットワーク１３８に結合され、その結果、第１の装置１１０および第２の装置１２０は、ワイヤレス通信リンク１３２，１３４を介してアクセス・ポイント１４０と通信することにより、ネットワーク１３８に結合される装置を含むネットワーク１３８と通信することができる。ネットワーク１３８は、電話ネットワークまたはインターネットのような公衆ネットワークを含み、あるいは、これとは別にネットワーク１３８は、イントラネットあるいは公衆および個人ネットワークの組合せを含んでもよいが、本発明の範囲がこの点に制限されることはない。
【００１５】
第１の装置１１０および第２の装置１２０およびアクセス・ポイント１４０のユーザ間の通信は、例えば１またはそれ以上のワイヤレス・セルラー規格、１またはそれ以上のワイヤレス・ネットワーキング規格、１またはそれ以上の無線周波数識別（ＲＦＩＤ）規格、および／または他の規格を含む、１またはそれ以上のワイヤレス規格に従って実行される。少なくとも一実施例では、例えば、通信は、Ｂｌｕｅｔｏｏｔｈ（登録商標）短距離ワイヤレス・プロトコル（Ｂｌｕｅｔｏｏｔｈ（登録商標）システム、バージョン１．２、Ｂｌｕｅｔｏｏｔｈ  ＳＩＧ社、２００３年１１月の仕様、および関連する仕様およびプロトコル）に従って実行される。他の可能なワイヤレス・ネットワーキング規格は、例えば、ＩＥＥＥ８０２．１１（ＡＮＳＩ／ＩＥＥＥ  Ｓｔｄ８０２．１１−１９９９版および８０２．１１ｎのような関連規格）、ＨＩＰＥＲＬＡＮ  １，２および欧州電気通信標準協会（ＥＴＳＩ）の広帯域無線アクセス・ネットワーク（ＢＲＡＮ）によって開発された関連規格、ＨｏｍｅＲＦ（ＨｏｍｅＲＦ仕様、修正２．０１、ＨｏｍｅＲＦ技術委員会、２００２年７月、および関連仕様）、Ｕｌｔｒａｗｉｄｅｂａｎｄおよび／または他の規格である。
【００１６】
本発明の一実施例に従って、アクセス・ポイント１４０は、マルチモード・アクセス・ポイント（ＭＡＰ）であってもよく、この場合アクセス・ポイント１４０は、第１の装置１１０および第２の装置１２０が相互に通信することができない場合、例えば、第１の装置１１０がＩＥＥＥ８０２．１１ｂ／ｇ規格のような第１のワイヤレス規格を使用して通信するために配置され、かつ第２の装置１２０がＩＥＥＥ８０２．１１ａ規格の５ＧＨｚあるいはその周波数の近傍での動作に向けられたより高いスループットのワイヤレス通信規格の第２のワイヤレス通信規格を使用して通信するために配置されている場合であっても、第１の装置１１０および第２の装置１２０はアクセス・ポイント１４０と通信することができるが、本発明の範囲がこの点に制限されることはない。
【００１７】
一実施例では、ＷＬＡＮシステム１００は、第１の装置１１０およびアクセス・ポイント１４０と通信することができる複数の装置を含む。ＷＬＡＮシステム１００は、第２の装置１２０およびアクセス・ポイント１４０と通信することができる複数の他の装置を含む。第１装置１１０と通信することができる複数の装置は、全てＩＥＥＥ８０２．１１ｂ／ｇ規格のような第１のワイヤレス規格を使用して通信することができる。第２の装置１２０と通信することができる複数の装置は、ＩＥＥＥ８０２．１１ａ規格の５ＧＨｚあるいはその周波数の近傍での動作に向けられたより高いスループットのワイヤレス通信規格の第２のワイヤレス通信規格を使用して通信することができるが、本発明の範囲がこの点に制限されることはない。
【００１８】
一実施例に従って、媒体へのアクセスは、ワイヤレス規格に記述されるようなデータ・リンク層の媒体アクセス制御（ＭＡＣ）のサブレイヤによって制御される。特に、ＭＡＣ動作は、ＡＰ１４０、第１の装置１１０、および／または第２の装置１２０のどの装置が媒体を介して通信を開始することができるかを制御する。
【００１９】
一実施例では、第１の装置１１０、第２の装置１２０、およびアクセス・ポイント１４０は、同一または類似の周波数帯、例えば約５ＧＨｚで通信するように配置され、第１の装置１１０、第２の装置１２０、およびアクセス・ポイント１４０の送受信機１１２，１２２，１４２は、それぞれ互換性をもつ物理層上で動作するように配置されるが、本発明の範囲がこの点に制限されることはない。
【００２０】
一実施例では、第１の装置１１０は古いワイヤレス基準によって動作するレガシーデバイスであり、また、第２の装置は新しく開発されより新しい基準で動作する新しく開発された装置であることがある。より新しい基準に従って、第２の装置１２０は、古いレガシー基準に従う通信を受信し処理するように要求される。このような実施例では、第１の装置１１０は、より新しい基準による通信、例えば、アクセス・ポイント１４０によって作られた新しいフォーマットのワイヤレス媒体予約を受信することができず、あるいは第２の装置１２０によって送られた媒体予約パケットを受信しあるいは処理することができないことがあるが、本発明の範囲がこの点に制限されることはない。加えて、第２の装置１２０は、より古い基準による通信、例えば、アクセス・ポイント１４０によって作られた古いフォーマットのワイヤレス媒体予約を受信することができ、また第１の装置１１０によって送られた媒体予約パケットを受信し処理することができるが、本発明の範囲がこの点に制限されることはない。
【００２１】
第１の装置１１０は第２の装置１２０からの通信を処理することができないので、第１の装置１１０および第２の装置１２０が別の装置の通信と衝突するおそれのある通信を開始するのを防ぐためにプロテクション・メカニズムが使用されてもよい。一実施例では、アクセス・ポイント１４０は、プロトコルへの修正を求めずに、第１の装置１１０および第２の装置１２０がアクセス・ポイント１４０およびそれらのピアと動作することができるが、本発明の範囲がこの点に制限されることはない。
【００２２】
４０ＭＨｚのチャネル・スイッチングを実施するために、例えば、図１に関して記述されたＷＬＡＮシステム１００において、拡張チャネル情報要素およびチャネル・スイッチ報知フレームが利用される。一実施例では、拡張チャネル情報要素は、拡張チャネルに対応するオフセット情報を含む。チャネル・スイッチ報知フレームは、拡張チャネル情報要素を含む。図１のＡＰ１４０のような、チャネル・スイッチ報知を受信する基地局は、４０ＭＨｚのチャネルで制御および拡張チャネルを決定する。
【００２３】
一般に、ワイヤレス通信は、独立した基本サービス・セット（ＩＢＳＳ）あるいは基本サービス・セット（ＢＳＳ）として分類される。ＩＢＳＳは、ＡＰが遠隔クライアントを識別するのを支援することのできるワイヤレス通信ネットワークである。ＢＳＳは、ＡＰが提供されないアドホックな性質のワイヤレス通信ネットワークである。４０／２０ＭＨｚが可能なＢＳＳ／ＩＢＳＳ装置は、単一の４０ＭＨｚチャネル中の２０ＭＨｚの拡張チャネルおよび２０ＭＨｚ制御チャネルをサポートするものである。
【００２４】
一実施例において、新しい（例えば４０ＭＨｚ）チャネルに変わる場合、新しい拡張チャネル・オフセット要素（Ｎｅｗ  Ｅｘｔｅｎｓｉｏｎ  Ｃｈａｎｎｅｌ  Ｏｆｆｓｅｔ  ｅｌｅｍｅｎｔ）は、チャネル・スイッチ報知要素と共にＢＳＳ中のＡＰまたはＩＢＳＳ中の移動局（ＳＴＡ）よって利用される。新しい拡張チャネル・オフセット要素の一実施例は、図２に示される。一実施例中、図に示された各フィールド２１０，２２０，２３０は、オクテット（８ビットからなるバイト）であるが、しかしながら、どのようなフィールド・サイズもサポートされる。
【００２５】
一実施例では、新しい拡張チャネル・オフセット・フィールド２３０は、制御チャネルに関連のある拡張チャネルの位置を示す。例えば、「１」の値は、拡張チャネルが制御チャネルより上にあることを示し、「２」の値は、拡張チャネルが制御チャネルより下にあることを示し、また、「０」の値は、拡張チャネルが存在しないことを示す。別の表示が用いられてもよい。一実施例では、新しい拡張チャネル・オフセット要素２００は、チャネル・スイッチ報知フレームに含まれてもよく、またビーコン・フレームおよびプローブ応答フレームに含まれてもよい。
【００２６】
ワイヤレス通信アーキテクチャ内のレイヤは、次の形式を有するが、これに限定されないプリミティブを介して他のレイヤと通信する。
（１）要求  別のレイヤがチャネル・スイッチをスケジュールする特定のサービスを実行し、このスイッチにＢＳＳ中の同位（ピア）エンティティ（ｐｅｅｒ  ｅｎｔｉｔｙ）を報知することを要求するために、レイヤはこのタイプのプリミティブを用いる。 
（２）指示  レイヤは、有意な事象が生じたことを別のレイヤに示すためにこのタイプのプリミティブを用いる。
（３）応答  レイヤは、指示プリミティブによって開始された手続きを終えるためにこのタイプのプリミティブを用いる。
【００２７】
特に、本発明の実施例では、４０ＭＨｚのチャネル・スイッチングを実行する場合、このようなプリミティブを利用してもよい。
【００２８】
図３は、チャネル・スイッチ要求プリミティブ３００の一実施例の概念図である。一実施例では、チャネル・スイッチ要求３００は、４０ＭＨｚのチャネル・スイッチを要求するために用いられるプリミティブである。チャネル・スイッチ要求プリミティブ３００は、モード３１０、チャネル番号３２０、新しい拡張チャネル・オフセット３３０、およびチャネル・スイッチ・カウント・フィールド３４０を含む。
【００２９】
チャネル・スイッチ要求プリミティブ３００は、チャネル・スイッチをスケジュールし、かつこのスイッチをＩＢＳＳ／ＢＳＳ中のピア・エンティティに報知するために、システム管理エンティティ（ＳＭＥ）によって生成される。モード３１０は、チャネル・スイッチ報知要素中に定義される。チャネル番号３２０は、スイッチされる新しいチャネル番号である。新しい拡張チャネル・オフセット３３０は、図２の新しい拡張チャネル・オフセット要素２３０と同じである。このパラメータは、制御要素に関する拡張チャネルの位置を提供する。一実施例では、４０／２０ＭＨｚが可能なＢＳＳ／ＩＢＳＳ装置は、新しい拡張チャネル・オフセット・パラメータ３３０をチャネル・スイッチ・リクエスト３００に挿入してもよい。チャネル・スイッチ・カウント３４０は、チャネル・スイッチ報知要素によって記述されるようなチャネル・スイッチのイベントまでターゲット・ビーコン送信時間（ＴＢＴＴ）の数を識別する。
【００３０】
図４は、チャネル・スイッチ指示プリミティブ４００の一実施例の概念図である。一実施例では、チャネル・スイッチ指示プリミティブ４００は、４０ＭＨｚのチャネル・スイッチ報知がピア・エンティティから受け取られたことを示すために使用されるプリミティブである。チャネル・スイッチ指示プリミティブ４００は、ピアＭＡＣアドレス４１０、モード４２０、チャネル番号４３０、新しい拡張チャネル・オフセット４３０、およびチャネル・スイッチ・カウント・フィールド４５０を含む。
【００３１】
ピアＭＡＣアドレス４１０はピアＭＡＣのアドレスを識別し、それからチャネル・スイッチ・フレームを受け取る。モード４２０は、チャネル・スイッチ報知要素中に定義されるようなモードを識別する。チャネル番号４３０は、新しいチャネル番号を示す。新しい拡張チャネル・オフセット４４０は、図２の新しい拡張チャネル・オフセット要素２３０と同じである。このパラメータは、制御要素に関する拡張チャネルの位置を提供する。一実施例では、４０／２０ＭＨｚが可能なＢＳＳ／ＩＢＳＳ装置は、新しい拡張チャネル・オフセット・パラメータ４４０をチャネル・スイッチ・リクエスト４００に挿入してもよい。チャネル・スイッチ・カウント４５０は、チャネル・スイッチ報知要素によって記述されるようなチャネル・スイッチのイベントまでＴＢＴＴの数を識別する。
【００３２】
図５は、チャネル・スイッチ要求プリミティブ５００の一実施例の概念図である。一実施例では、チャネル・スイッチ要求プリミティブ５００は、図４に関して記述された指示プリミティブ４００のような指示プリミティブによって開始された４０ＭＨｚのチャネル・スイッチの手続きを終えるために使用されるプリミティブである。チャネル・スイッチ要求プリミティブ５００は、モード５１０、チャネル番号５２０、新しい拡張チャネル・オフセット５３０、およびチャネル・スイッチ・カウント・フィールド５４０を含む。
【００３３】
モード５１０は、チャネル・スイッチ報知要素中に定義されるようなモードを識別する。チャネル番号５２０は、新しいチャネル番号を示す。新しい拡張チャネル・オフセット５３０は、図２の新しい拡張チャネル・オフセット要素２００と同じである。このパラメータは、制御要素に関する拡張チャネルの位置を提供する。一実施例では、４０／２０ＭＨｚが可能なＢＳＳ／ＩＢＳＳ装置は、新しい拡張チャネル・オフセット・パラメータ５３０をチャネル・スイッチ・リクエスト５００に挿入してもよい。チャネル・スイッチ・カウント５４０は、チャネル・スイッチ報知要素によって記述されるようなチャネル・スイッチのイベントまでＴＢＴＴの数を識別する。
【００３４】
本発明はいくつかの実施例に置き換えて記述されているが、当業者は、本発明が記述された実施例に制限されることはなく、添付された請求項の思想および範囲内での修正および変更できることを認識するであろう。本記述は、制限するのではなく、実例とみなされるべきである。
【符号の説明】
【００３５】
１００  ワイヤレス・ローカルエリア・ネットワーク（ＷＬＡＮ）システム
１１０  第１の装置
１１２，１２２  ワイヤレス送受信機
１１４，１２４  メモリ
１１６，１２６  ベースバンド・プロセッサ
１１８，１２８，１３６  アンテナ
１２０  第２の装置
１３２，１３４  ワイヤレス通信リンク
１３８  ネットワーク
１４０  アクセス・ポイント
２００  拡張チャネル・オフセット要素
３００  チャネル・スイッチ要求プリミティブ
４００  チャネル・スイッチ指示プリミティブ
５００  チャネル・スイッチ要求プリミティブ
【図１】
0005627037.tif 000002
【図２】
0005627037.tif 000003
【図３】
0005627037.tif 000004
【図４】
0005627037.tif 000005
【図５】
0005627037.tif 000006